(57)【要約】  端末の切り替え表示方法及び端末であって、前記切り替え表示方法は、ユーザの選択した前記端末の表示モードを取得し、前記端末が第１ディスプレイと第２ディスプレイを備えることと、ユーザの選択した表示モードに基づいて、前記出力対象の第１ディスプレイと第２ディスプレイでの表示方式を確定することと、確定した前記表示方式に基づいて、前記出力対象を前記第１ディスプレイと第２ディスプレイのうちの少なくとも１つのものに表示することと、を含む。【選択図】図１
2019509525.tif 000002
【特許請求の範囲】
【請求項１】
端末の切り替え表示方法であって、
ユーザの選択した前記端末の表示モードを取得し、前記端末が第１ディスプレイと第２ディスプレイを備えることと、
ユーザの選択した表示モードに基づいて、出力対象の前記第１ディスプレイと第２ディスプレイでの表示方式を確定することと、
確定した前記表示方式に基づいて、前記出力対象を前記第１ディスプレイと第２ディスプレイのうちの少なくとも１つのものに表示することと、を含む端末の切り替え表示方法。
【請求項２】
前記端末が移動端末である請求項１に記載の方法。
【請求項３】
確定した前記表示方式に基づいて、前記出力対象を前記第１ディスプレイと第２ディスプレイのうちの少なくとも１つのものに表示することは、
ユーザの選択した表示モードに基づいて、前記表示方式が第１表示方式であることを確定することと、
前記第１表示方式に基づいて、前記出力対象が前記第１ディスプレイに表示される第１表示内容であることを確定し、又は前記出力対象が第２ディスプレイに表示される第２表示内容であることを確定することと、
前記第１表示内容を前記第１ディスプレイに表示し、前記第２ディスプレイを非作動状態にあるように制御し、又は前記第２表示内容を前記第２ディスプレイに表示し、前記第１ディスプレイを非作動状態にあるように制御することと、を含む請求項２に記載の方法。
【請求項４】
前記第１表示方式に基づいて、前記出力対象が前記第１ディスプレイに表示される第１表示内容であることを確定し、又は前記出力対象が第２ディスプレイに表示される第２表示内容であることを確定することは、
前記第１ディスプレイのスクリーン解像度に基づいて前記出力対象の解像度を調整して第１表示内容を取得し、又は前記第２ディスプレイのスクリーン解像度に基づいて前記出力対象の解像度を調整して第２表示内容を取得することと、
前記第１表示内容又は前記第２表示内容をディスプレイキャッシュFramebufferにパディングすることと、
ディスプレイキャッシュFramebufferにおける内容を前記第１ディスプレイ又は前記第２ディスプレイのディスプレイドライバーにリフレッシュすることと、を含む請求項３に記載の方法。
【請求項５】
確定した前記表示方式に基づいて、前記出力対象を前記第１ディスプレイと第２ディスプレイのうちの少なくとも１つのものに表示することは、
ユーザの選択した表示モードに基づいて、前記表示方式が第２表示方式であることを確定することと、
前記第２表示方式に基づいて、前記出力対象の第１部分が前記第１ディスプレイに表示される第３表示内容であり、及び前記出力対象の第２部分が前記第２ディスプレイに表示される第４表示内容であることを確定することと、
それぞれ前記第３表示内容と第４表示内容を前記第１ディスプレイと前記第２ディスプレイに表示することと、を含む請求項２に記載の方法。
【請求項６】
前記第２表示方式に基づいて、前記出力対象の第１部分が前記第１ディスプレイに表示される第３表示内容であり、第２部分が前記第２ディスプレイに表示される第４表示内容であることを確定することは、
前記第１ディスプレイと第２ディスプレイのスクリーン解像度に基づいて、それぞれ前記出力対象の第１部分と第２部分の解像度を調整し、第３表示内容と第４表示内容を取得することと、
前記第３表示内容と前記第４表示内容をディスプレイキャッシュFramebufferにパディングすることと、
ディスプレイキャッシュFramebufferにおける内容を前記第１ディスプレイと前記第２ディスプレイのディスプレイドライバーにリフレッシュすることと、を含む請求項５に記載の方法。
【請求項７】
確定した前記表示方式に基づいて、前記出力対象を前記第１ディスプレイと第２ディスプレイのうちの少なくとも１つのものに表示することは、
ユーザの選択した表示モードに基づいて、前記表示方式が第３表示方式であることを確定することと、
前記第３表示方式に基づいて、前記出力対象が前記第１ディスプレイに表示される第５表示内容であることを確定し、及び前記出力対象が前記第２ディスプレイに表示される第６表示内容であることを確定し、前記第５表示内容と前記第６表示内容が鏡像関係であることと、
それぞれ前記第５表示内容と第６表示内容を前記第１ディスプレイと前記第２ディスプレイに表示することと、を含む請求項２に記載の方法。
【請求項８】
前記第３表示方式に基づいて、前記出力対象が前記第１ディスプレイに表示される第５表示内容であることを確定し、及び前記出力対象が前記第２ディスプレイに表示される第６表示内容であることを確定し、前記第５表示内容と前記第６表示内容が鏡像関係であることは、
前記第１ディスプレイのスクリーン解像度に基づいて、前記出力対象の解像度を調整して第５表示内容を取得することと、
第５表示内容に対して鏡像処理を行って第６表示内容を取得し、前記第６表示内容を第２ディスプレイに表示することと、
前記第５表示内容と前記第６表示内容をディスプレイキャッシュFramebufferにパディングすることと、
ディスプレイキャッシュFramebufferにおける内容を前記第１ディスプレイと前記第２ディスプレイのディスプレイドライバーにリフレッシュすることと、を含む請求項７に記載の方法。
【請求項９】
ダブルスクリーン切り替え表示モードを有する端末であって、
ユーザの選択した前記端末の表示モードを取得するように設定され、前記端末が第１ディスプレイと第２ディスプレイを備える取得モジュールと、
前記取得モジュールの取得したユーザの選択した表示モードに基づいて、出力対象の前記第１ディスプレイと第２ディスプレイでの表示方式を確定するように設定される処理モジュールと、
前記処理モジュールの確定した表示方式に基づいて、前記出力対象を前記第１ディスプレイと第２ディスプレイのうちの少なくとも１つのものに表示するように設定される制御モジュールと、を備えるダブルスクリーン切り替え表示モードを有する端末。
【請求項１０】
前記制御モジュールは、
ユーザの選択した表示モードに基づいて、前記表示方式が第１表示方式であることを確定するように設定される第１制御ユニットと、
前記第１表示方式に基づいて、前記出力対象が前記第１ディスプレイに表示される第１表示内容であり、又は第２ディスプレイに表示される第２表示内容であることを確定するように設定される第２制御ユニットと、
前記第１表示内容を前記第１ディスプレイに表示し、前記第２ディスプレイを非作動状態にあるように制御し、又は前記第２表示内容を前記第２ディスプレイに表示し、前記第１ディスプレイを非作動状態にあるように制御するように設定される第３制御ユニットと、を備える請求項９に記載の端末。
【請求項１１】
前記第２制御ユニットは、
前記第１ディスプレイのスクリーン解像度に基づいて前記出力対象の解像度を調整して第１表示内容を取得し、又は前記第２ディスプレイのスクリーン解像度に基づいて前記出力対象の解像度を調整して第２表示内容を取得するように設定される第１出力サブユニットと、
前記第１表示内容又は前記第２表示内容をディスプレイキャッシュFramebufferにパディングするように設定される第１パディングサブユニットと、
ディスプレイキャッシュFramebufferにおける内容を前記第１ディスプレイ又は前記第２ディスプレイのディスプレイドライバーにリフレッシュするように設定される第１キャッシュサブユニットと、を備える請求項１０に記載の端末。
【請求項１２】
前記制御モジュールは、
ユーザの選択した表示モードに基づいて、前記表示方式が第２表示方式であることを確定するように設定される第４制御ユニットと、
前記第２表示方式に基づいて、前記出力対象の第１部分が前記第１ディスプレイに表示される第３表示内容であり、第２部分が前記第２ディスプレイに表示される第４表示内容であることを確定するように設定される第５制御ユニットと、
それぞれ前記第３表示内容と第４表示内容を前記第１ディスプレイと前記第２ディスプレイに表示するように設定される第６制御ユニットと、を備える請求項９に記載の端末。
【請求項１３】
前記第５制御ユニットは、
前記第１ディスプレイと第２ディスプレイのスクリーン解像度に基づいて、それぞれ前記出力対象の第１部分と第２部分の解像度を調整し、第３表示内容と第４表示内容を取得するように設定される第２出力サブユニットと、
前記第３表示内容と前記第４表示内容をディスプレイキャッシュFramebufferにパディングするように設定される第２パディングサブユニットと、
ディスプレイキャッシュFramebufferにおける内容を前記第１ディスプレイと前記第２ディスプレイのディスプレイドライバーにリフレッシュするように設定される第２キャッシュサブユニットと、を備える請求項１２に記載の端末。
【請求項１４】
前記制御モジュールは、
ユーザの選択した表示モードに基づいて、前記表示方式が第３表示方式であることを確定するように設定される第７制御ユニットと、
前記第３表示方式に基づいて、前記出力対象が前記第１ディスプレイに表示される第５表示内容であり、及び前記第２ディスプレイに表示される第６表示内容であることを確定するように設定され、前記第５表示内容と前記第６表示内容が鏡像関係である第８制御ユニットと、
前記第５表示内容を前記第１ディスプレイに表示し、前記第６表示内容を前記第２ディスプレイに表示するように設定される第９制御ユニットと、を備える請求項９に記載の端末。
【請求項１５】
前記第８制御ユニットは、
前記第１ディスプレイのスクリーン解像度に基づいて、前記出力対象の解像度を調整して第５表示内容を取得するように設定される第３出力サブユニットと、
第５表示内容に対して鏡像処理を行って第６表示内容を取得するように設定され、前記第６表示内容が第２ディスプレイに表示されることに用いられる変換サブユニットと、
前記第５表示内容と前記第６表示内容をディスプレイキャッシュFramebufferにパディングするように設定される第３パディングサブユニットと、
ディスプレイキャッシュFramebufferにおける内容を前記第１ディスプレイと前記第２ディスプレイのディスプレイドライバーにリフレッシュするように設定される第３キャッシュサブユニットと、を備える請求項１４に記載の端末。
【請求項１６】
コンピュータ実行可能な指令が記憶され、前記コンピュータ実行可能な指令は請求項１〜８のいずれか１項に記載の方法を実行するためのものであるコンピュータ読み取り可能な記憶媒体。
【発明の詳細な説明】
【技術分野】
【０００１】
本出願は通信技術分野に関し、例えば端末の切り替え表示方法及び端末に関する。
【背景技術】
【０００２】
通信技術が絶えず発展して益々優れていくことにより、益々普及していく通信装置、例えばインテリジェント表示端末（例えば移動端末、スマートテレビ）では、ソフトウェア機能アプリケーションが益々豊富になり、ユーザの個人別の要求が益々多くなる。
【０００３】
端末ダブルスクリーン表示技術（端末デュアルディスプレイ技術）において、通常、２つのディスプレイに表示される内容はそれぞれの重点があり、表示効果に対する要求は異なり、２つのディスプレイ画面の解像度も異なり、しかし、ダブルスクリーン表示方法（デュアルディスプレイ方法）は２つのディスプレイが同時に表示することをサポートしてない（即ち２つのディスプレイのうちの１つのものしか使用できない）。
【発明の概要】
【発明が解決しようとする課題】
【０００４】
本願は、端末の第１ディスプレイと第２ディスプレイのそれぞれの表示モードでの表示協力及び表示方式の問題を解決する、端末の切り替え表示方法及び該切り替え表示方法を使用する端末を提供する。
【課題を解決するための手段】
【０００５】
本実施例は、端末の切り替え表示方法を提供し、ユーザの選択した前記端末の表示モードを取得し、前記端末が第１ディスプレイと第２ディスプレイを備えることと、ユーザの選択した表示モードに基づいて、出力対象の前記第１ディスプレイと第２ディスプレイでの表示方式を確定することと、確定した前記表示方式に基づいて、前記出力対象を前記第１ディスプレイと第２ディスプレイのうちの少なくとも１つのものに表示することと、を含んでもよい。
【０００６】
選択的に、前記端末は移動端末であってもよい。
【０００７】
選択的に、確定した前記表示方式に基づいて、前記出力対象を前記第１ディスプレイと第２ディスプレイのうちの少なくとも１つのものに表示することは、ユーザの選択した表示モードに基づいて、前記表示方式が第１表示方式であることを確定することと、前記第１表示方式に基づいて、前記出力対象が前記第１ディスプレイに表示される第１表示内容であることを確定し、又は前記出力対象が第２ディスプレイに表示される第２表示内容であることを確定することと、前記第１表示内容を前記第１ディスプレイに表示し、前記第２ディスプレイを非作動状態にあるように制御し、又は前記第２表示内容を前記第２ディスプレイに表示し、前記第１ディスプレイを非作動状態にあるように制御することと、を含んでもよい。
【０００８】
選択的に、前記第１表示方式に基づいて、前記出力対象が前記第１ディスプレイに表示される第１表示内容であることを確定し、又は前記出力対象が第２ディスプレイに表示される第２表示内容であることを確定することは、前記第１ディスプレイのスクリーン解像度に基づいて前記出力対象の解像度を調整して第１表示内容を取得し、又は前記第２ディスプレイのスクリーン解像度に基づいて前記出力対象の解像度を調整して第２表示内容を取得することと、前記第１表示内容又は前記第２表示内容をディスプレイキャッシュFramebufferにパディング（padding）することと、ディスプレイキャッシュFramebufferにおける内容を前記第１ディスプレイ又は前記第２ディスプレイのディスプレイドライバーにリフレッシュすることと、を含んでもよい。
【０００９】
選択的に、確定した前記表示方式に基づいて、前記出力対象を前記第１ディスプレイと第２ディスプレイのうちの少なくとも１つのものに表示することは、ユーザの選択した表示モードに基づいて、前記表示方式が第２表示方式であることを確定することと、前記第２表示方式に基づいて、前記出力対象の第１部分が前記第１ディスプレイに表示される第３表示内容であり、及び前記出力対象の第２部分が前記第２ディスプレイに表示される第４表示内容であることを確定することと、それぞれ前記第３表示内容と第４表示内容を前記第１ディスプレイと前記第２ディスプレイに表示することと、を含んでもよい。
【００１０】
選択的に、前記第２表示方式に基づいて、前記出力対象の第１部分が前記第１ディスプレイに表示される第３表示内容であり、及び第２部分が前記第２ディスプレイに表示される第４表示内容であることを確定することは、前記第１ディスプレイと第２ディスプレイのスクリーン解像度に基づいて、それぞれ前記出力対象の第１部分と第２部分の解像度を調整し、第３表示内容と第４表示内容を取得することと、前記第３表示内容と前記第４表示内容をディスプレイキャッシュFramebufferにパディングすることと、ディスプレイキャッシュFramebufferにおける内容を前記第１ディスプレイと前記第２ディスプレイのディスプレイドライバーにリフレッシュすることと、を含んでもよい。
【００１１】
選択的に、確定した前記表示方式に基づいて、前記出力対象を前記第１ディスプレイと第２ディスプレイのうちの少なくとも１つのものに表示することは、ユーザの選択した表示モードに基づいて、前記表示方式が第３表示方式であることを確定することと、前記第３表示方式に基づいて、前記出力対象が前記第１ディスプレイに表示される第５表示内容であることを確定し、及び前記出力対象が前記第２ディスプレイに表示される第６表示内容であることを確定し、前記第５表示内容と前記第６表示内容が鏡像関係であることと、それぞれ前記第５表示内容と第６表示内容を前記第１ディスプレイと前記第２ディスプレイに表示することと、を含んでもよい。
【００１２】
選択的に、前記第３表示方式に基づいて、前記出力対象が前記第１ディスプレイに表示される第５表示内容であることを確定し、及び前記出力対象が前記第２ディスプレイに表示される第６表示内容であることを確定し、前記第５表示内容と前記第６表示内容が鏡像関係であることは、前記第１ディスプレイのスクリーン解像度に基づいて、前記出力対象の解像度を調整して第５表示内容を取得することと、第５表示内容に対して鏡像処理を行って第６表示内容を取得し、前記第６表示内容が第２ディスプレイに表示されることと、前記第５表示内容と前記第６表示内容をディスプレイキャッシュFramebufferにパディングすることと、ディスプレイキャッシュFramebufferにおける内容を前記第１ディスプレイと前記第２ディスプレイのディスプレイドライバーにリフレッシュすることと、を含んでもよい。
【００１３】
本実施例は、端末を更に提供し、取得モジュール、処理モジュール及び制御モジュールを備えてもよい。
取得モジュールは、ユーザの選択した前記端末の表示モードを取得するように設定され、前記端末が第１ディスプレイと第２ディスプレイを備える。
処理モジュールは、前記取得モジュールの取得したユーザの選択した表示モードに基づいて、出力対象の前記第１ディスプレイと第２ディスプレイでの表示方式を確定するように設定される。
制御モジュールは、前記処理モジュールの確定した表示方式に基づいて、前記出力対象を前記第１ディスプレイと第２ディスプレイのうちの少なくとも１つのものに表示するように設定される。
【００１４】
選択的に、前記制御モジュールは、第１制御ユニット、第２制御ユニット及び第３制御ユニットを備えてもよい。
第１制御ユニットは、ユーザの選択した表示モードに基づいて、前記表示方式が第１表示方式であることを確定するように設定される。
第２制御ユニットは、前記第１表示方式に基づいて、前記出力対象が前記第１ディスプレイに表示される第１表示内容であることを確定し、又は前記出力対象が第２ディスプレイに表示される第２表示内容であることを確定するように設定される。
第３制御ユニットは、前記第１表示内容を前記第１ディスプレイに表示し、前記第２ディスプレイを非作動状態にあるように制御し、又は前記第２表示内容を前記第２ディスプレイに表示し、前記第１ディスプレイを非作動状態にあるように制御するように設定される。
【００１５】
選択的に、前記第２制御ユニットは、第１出力サブユニット、第２パディングサブユニット及び第１キャッシュサブユニットを備えてもよい。
第１出力サブユニットは、前記第１ディスプレイのスクリーン解像度に基づいて前記出力対象の解像度を調整して第１表示内容を取得し、又は前記第２ディスプレイのスクリーン解像度に基づいて前記出力対象の解像度を調整して第２表示内容を取得するように設定される。
第１パディングサブユニットは、前記第１表示内容又は前記第２表示内容をディスプレイキャッシュFramebufferにパディングするように設定される。
第１キャッシュサブユニットは、ディスプレイキャッシュFramebufferにおける内容を前記第１ディスプレイ又は前記第２ディスプレイのディスプレイドライバーにリフレッシュするように設定される。
【００１６】
選択的に、前記制御モジュールは、第４制御ユニット、第５制御ユニット及び第６制御ユニットを備えてもよい。
第４制御ユニットは、ユーザの選択した表示モードに基づいて、前記表示方式が第２表示方式であることを確定するように設定される。
第５制御ユニットは、前記第２表示方式に基づいて、前記出力対象の第１部分が前記第１ディスプレイに表示される第３表示内容であり、及び前記出力対象の第２部分が前記第２ディスプレイに表示される第４表示内容であることを確定するように設定される。
第６制御ユニットは、それぞれ前記第３表示内容と第４表示内容を前記第１ディスプレイと前記第２ディスプレイに表示するように設定される。
【００１７】
選択的に、前記第２制御ユニットは、第２出力サブユニット、第２パディングサブユニット及び第２キャッシュサブユニットを備えてもよい。
第２出力サブユニットは、前記第１ディスプレイと第２ディスプレイのスクリーン解像度に基づいて、それぞれ前記出力対象の第１部分と第２部分の解像度を調整し、第３表示内容と第４表示内容を取得するように設定される。
第２パディングサブユニットは、前記第３表示内容と前記第４表示内容をディスプレイキャッシュFramebufferにパディングするように設定される。
第２キャッシュサブユニットは、ディスプレイキャッシュFramebufferにおける内容を前記第１ディスプレイと前記第２ディスプレイのディスプレイドライバーにリフレッシュするように設定される。
【００１８】
選択的に、前記制御モジュールは、第７制御ユニット、第８制御ユニット及び第９制御ユニットを備えてもよい。
第７制御ユニットは、ユーザの選択した表示モードに基づいて、前記表示方式が第３表示方式であることを確定するように設定される。
第８制御ユニットは、前記第３表示方式に基づいて、前記出力対象が前記第１ディスプレイに表示される第５表示内容であり、及び前記第２ディスプレイに表示される第６表示内容であることを確定するように設定され、前記第５表示内容と前記第６表示内容が鏡像関係である。
第９制御ユニットは、前記第５表示内容を前記第１ディスプレイに表示し、前記第６表示内容を前記第２ディスプレイに表示するように設定される。
【００１９】
選択的に、前記第２制御ユニットは、第３出力サブユニット、変換サブユニット、第３パディングサブユニット及び第３キャッシュサブユニットを備える。
第３出力サブユニットは、前記第１ディスプレイのスクリーン解像度に基づいて、前記出力対象の解像度を調整して第５表示内容を取得するように設定される。
変換サブユニットは、第５表示内容に対して鏡像処理を行って第６表示内容を取得するように設定され、前記第６表示内容が第２ディスプレイに表示される。
第３パディングサブユニットは、前記第５表示内容と前記第６表示内容をディスプレイキャッシュFramebufferにパディングするように設定される。
第３キャッシュサブユニットは、ディスプレイキャッシュFramebufferにおける内容を前記第１ディスプレイと前記第２ディスプレイのディスプレイドライバーにリフレッシュするように設定される。
【００２０】
本実施例は、コンピュータ読み取り可能な記憶媒体を更に提供し、コンピュータ実行可能な指令が記憶され、前記コンピュータ実行可能な指令は、上記のいずれか１つの方法の実行に用いられる。
【００２１】
本実施例は、電子装置を更に提供し、該電子装置は１つの又は複数のプロセッサ、メモリ及び１つの又は複数のプログラムを備え、前記１つの又は複数のプログラムはメモリに記憶され、１つの又は複数のプロセッサにより実行される場合、上記のいずれか１つの方法を実行する。
【００２２】
本実施例は、コンピュータプログラム製品を更に提供し、前記コンピュータプログラム製品はコンピュータ読み取り可能な記憶媒体に記憶されるコンピュータプログラムを含み、前記コンピュータプログラムはプログラム指令を含み、前記プログラム指令がコンピュータにより実行される場合、前記コンピュータは上記のいずれか１つの方法を実行する。
【発明の効果】
【００２３】
本実施例による端末の切り替え表示方法及び端末は、ユーザの選択した表示モードを取得することにより、出力対象の前記第１ディスプレイと第２ディスプレイでの表示方式を確定し、且つ該表示方式に基づいて、前記出力対象を前記第１ディスプレイと第２ディスプレイのうちの少なくとも１つのものに表示する。それにより、端末の第１ディスプレイと第２ディスプレイの多種の表示モードでの表示協力及び表示方式の問題を解決することができる。
【図面の簡単な説明】
【００２４】
より明確に本実施例による技術的解決手段を説明するために、以下、本実施例の記載に必要な図面を簡単に紹介する。
【図１】図１は、本実施例による移動端末の切り替え表示方法のフローチャートを示す。
【図２】図２は、本実施例による移動端末の切り替え表示方法の第１表示方式のフローチャートを示す。
【図３】図３は、本実施例による移動端末の切り替え表示方法の第２表示方式のフローチャートを示す。
【図４】図４は、本実施例による移動端末の切り替え表示方法の第３表示方式のフローチャートを示す。
【図５】図５は、本実施例によるダブルスクリーン切り替え表示モードを有する移動端末の構造模式図を示す。
【図６】図６は、本実施例によるダブルスクリーン切り替え表示モードを有する移動端末の第１表示方式の模式図を示す。
【図７】図７は、本実施例によるダブルスクリーン切り替え表示モードを有する移動端末の第２表示方式の模式図を示す。
【図８】図８は、本実施例によるダブルスクリーン切り替え表示モードを有する移動端末の第３表示方式の模式図を示す。
【図９】図９は、本実施例による電子装置の汎用ハードウェア構造の模式図を示す。
【発明を実施するための形態】
【００２５】
以下、本実施例における図面を参照しながら、本実施例における技術的解決手段を具体的に、詳細に説明する。記載の実施例は、本発明の一部の実施例であって、全部の実施例ではない。矛盾が生じない場合には、以下の実施例及び実施例における技術的解決手段は互いに組み合わせることができる。
【００２６】
第１実施例
図１を参照して、図１は本実施例による端末の切り替え表示方法のフローチャートであり、該方法は、Androidシステムを採用する端末に適用されることができ、該端末は、インテリジェント端末、移動端末又はインテリジェント移動端末であってもよい。以下の実施例では、端末が移動端末であることを例として説明し、当業者が理解すべきことは、これは端末のタイプを制限するものではない。図１に示すように、該方法は、下記ステップ１１０〜１３０を含んでもよい。
【００２７】
ステップ１１０において、ユーザの選択した前記移動端末の表示モードを取得する。
【００２８】
移動端末は第１ディスプレイと第２ディスプレイを備えてもよく、上記表示モードは移動端末の第１ディスプレイと第２ディスプレイでの出力対象の表示モードであると理解されてもよい。移動端末の表示モードは多種であってもよく、例えば第１表示モード、第２表示モード及び第３表示モードであり、その中、第１表示モードはシングルスクリーンモードで、第２表示モードは大画面モードで、第３表示モードはミラーモードであってもよい。
【００２９】
シングルスクリーンモードとは、移動端末の第１ディスプレイと第２ディスプレイのうちの１つを選択して出力対象を表示し、同時に、他のディスプレイが待機又はスリープ状態にある表示モードを指してもよい。大画面モードとは、移動端末の第１ディスプレイと第２ディスプレイを組み合わせて１つの出力対象を表示する表示モードを指してもよい。ミラーモードとは、移動端末の第１ディスプレイと第２ディスプレイのうちの１つのものが出力対象を表示し、他のディスプレイが前記出力対象の鏡像変換による出力対象を表示する表示モードを指してもよい。
【００３０】
ステップ１２０において、ユーザの選択した表示モードに基づいて、前記第１ディスプレイと第２ディスプレイの出力対象表示のための表示方式を確定する。
【００３１】
上記表示方式はユーザの選択した表示モードの違いに対応して変更し、第１表示方式、第２表示方式及び第３表示方式を含む。即ち異なる表示モードは異なる表示方式に対応する。本実施例において、各表示モードは１種のディスプレイの表示方式に対応する。
【００３２】
選択的に、移動端末はプロセッサを備えてもよく、該プロセッサはディスプレイに対応する多種の表示モードを第１ディスプレイ又は第２ディスプレイに表示して、ユーザに提供することができる。ユーザは需要に応じて１種の表示モードを選択する。プロセッサはユーザの選択した表示モードに基づいて、該選択した表示モードに対応する表示方式を確定する。
【００３３】
ユーザがシングルスクリーンモードを選択する場合、第１ディスプレイと第２ディスプレイの表示方式は出力対象の第１表示内容が前記第１ディスプレイに表示され、第２ディスプレイを非作動状態にあるように制御し、又は出力対象の第２表示内容が第２ディスプレイに表示され、第１ディスプレイを非作動状態にあるように制御することであることを確定する。
【００３４】
ユーザが大画面モードを選択する場合、第１ディスプレイと第２ディスプレイの表示方式は出力対象の一部が第３表示内容として第１ディスプレイに表示され、出力対象の他の一部が第４表示内容として第２ディスプレイに表示されることであることを確定する。
【００３５】
選択的に、出力対象を第１部分と第２部分に分け、大画面モードで、出力対象の第１部分が第３表示内容として第１ディスプレイに表示され、出力対象の第２部分が第４表示内容として第２ディスプレイに表示されることを確定する。
【００３６】
ユーザがミラーモードを選択する場合、第１ディスプレイと第２ディスプレイの表示方式は出力対象の第５表示内容が前記第１ディスプレイに表示され、前記第５表示内容の鏡像による第６表示内容が第２ディスプレイに表示されることであることを確定する。
【００３７】
ステップ１３０において、確定した前記第１ディスプレイと第２ディスプレイの表示方式に基づいて、前記出力対象を前記第１ディスプレイ及び／又は第２ディスプレイに表示する。
【００３８】
上記出力対象はビデオ、ピクチャー、テキスト等であってもよい。
【００３９】
Android移動端末のアーキテクチャは３種の表示モードをサポートすることができなく、移動端末を再び初期化しなければ実行できない。
【００４０】
Androidシステムの表示内容は、ディスプレイキャッシュ（Framebuffer）により提供することができ、通常、１つのディスプレイは１つのディスプレイキャッシュ（Framebuffer）に対応する。ダブルスクリーン表示を実現するには、２つのディスプレイキャッシュ（Framebuffer）を採用し、又は２つのディスプレイが１つのディスプレイキャッシュ（Framebuffer）を採用してもよく、Androidアーキテクチャは表示内容の用意を担当して、合成を介して、最終にディスプレイキャッシュ（Framebuffer）により最終の表示内容を取得する。移動端末は２つのディスプレイキャッシュ（Framebuffer）を使用し、Androidシステムの表示内容は２つのディスプレイキャッシュ（Framebuffer）に対して独立のレイアウトを行い、単独に描画する必要がある。汎用のAndroidシステムを使用するアプリケーションについて、１インチあたりの画素（Dots Per Inch、ＤＰＩ）表示解像度に基づいてレイアウトを行うべきである。解像度が確定された後、システムは解像度に基づいて表示インタフェースのレイアウトを行い、解像度が高ければ高いほど、ディスプレイキャッシュの容量が大きい。
【００４１】
表示モードと解像度との対応関係には以下の内容を含むことができる。
シングルスクリーンモードの場合、システムは直接に１つのディスプレイの解像度に設定し、１つのディスプレイの内容しか更新しなく、他のディスプレイがスリープ又はオフ状態にあり、消費電力を低減し、大画面モードの場合、２つのディスプレイの物理的解像度が重ね合わせ、システムは正常の描画フローに従って描画し、ミラーモードの場合、システムは１つのディスプレイの解像度に設定し、他のディスプレイの表示内容は現在のディスプレイに表示される内容に対して座標変換又は対称変換を行う必要がある。
【００４２】
本実施例において、移動端末は起動した後、２つのディスプレイを１つのディスプレイキャッシュ（Framebuffer）にマッピングし、表示解像度を調整することによりウィンドウ可視領域の調整を行い、多種の表示モードの切り替えを完成する。動的にスクリーン解像度を切り替えることにより、複数の表示モードの切り替えを実現することができる。
【００４３】
本実施例では、Android固有のウィンドウマネージャＷＭ（window manager）命令により、端末は多種の表示モードの切り替えを行うことができる。ＷＭ命令はAndroidシステムを採用する端末の解像度を調整することができ、ＷＭ命令は端末の高い表示解像度を低く調整することができ、それにより端末の表示ウィンドウは高解像度から低解像度状態に切り替わる。端末の表示ウィンドウが高解像度状態にある場合、表示された画像は端末の表示ウィンドウ内で中央に表示され、画像に覆われていないウィンドウ領域は黒い又は他の背景色を表示し、ウィンドウが高解像度から低解像度状態に切り替える場合、ＷＭ命令は端末のウィンドウの解像度を変更し、それにより画像の表示方式を変更することができ、該低解像度状態で、例えば、画像は端末の表示ウィンドウの左上隅に表示される。スクリーンは回転した後、座標変換の問題が存在し、座標変換の対応関係を修正し、回転方向に基づいて調整する必要がある。本実施例では、移動端末の切り替え表示の過程において、移動端末の表示モード及び前記移動端末の第１ディスプレイと第２ディスプレイの表示方式を確定した後、移動端末の出力対象は第１ディスプレイ及び／又は第２ディスプレイに表示され、移動端末の切り替え表示の過程は完成する。
【００４４】
本実施例では、ユーザの選択した表示モードを取得し、前記第１ディスプレイと第２ディスプレイの出力対象表示のための表示方式を確定し、前記出力対象を前記第１ディスプレイ及び／又は第２ディスプレイに表示することにより、移動端末の第１ディスプレイと第２ディスプレイの異なる表示モードでの表示協力及び表示方式の問題を解決する。
【００４５】
第２実施例
上記第１実施例を基に、図２を参照し、本実施例は、移動端末の切り替え表示方法の第１表示方式のフローチャートを提供し、図２に示すように、該方法は、下記ステップ２０１〜２０３を含んでもよい。
【００４６】
ステップ２０１において、ユーザの選択した表示モードに基づいて、前記第１ディスプレイと第２ディスプレイの表示方式が第１表示方式であることを確定する。
【００４７】
本実施例において、移動端末は第１ディスプレイと第２ディスプレイを備えてもよく、前記第１ディスプレイと第２ディスプレイの表示方式は第１表示方式、即ちシングルスクリーン表示モードである。前記第１ディスプレイと第２ディスプレイのうちの１つのものは移動端末の出力内容を表示し、他のディスプレイは非作動状態である。
【００４８】
ステップ２０２において、前記第１表示方式に基づいて、前記出力対象が前記第１ディスプレイに表示される第１表示内容であることを確定し、又は前記出力対象が第２ディスプレイに表示される第２表示内容であることを確定する。
【００４９】
ステップ２０３において、前記第１表示内容を前記第１ディスプレイに表示し、前記第２ディスプレイを非作動状態にあるように制御し、又は前記第２表示内容を前記第２ディスプレイに表示し、前記第１ディスプレイを非作動状態にあるように制御する。
【００５０】
その中、ステップ２０２は下記ステップ２０２１〜２０２３を含んでもよい。
【００５１】
ステップ２０２１において、前記第１ディスプレイのスクリーン解像度に基づいて前記出力対象の解像度を調整して第１表示内容を取得し、又は前記第２ディスプレイのスクリーン解像度に基づいて前記出力対象の解像度を調整して第２表示内容を取得する。
【００５２】
ステップ２０２２において、前記第１表示内容又は前記第２表示内容をディスプレイキャッシュ（Framebuffer）にパディングする。
【００５３】
ステップ２０２３において、ディスプレイキャッシュ（Framebuffer）における内容を前記第１ディスプレイ又は前記第２ディスプレイのディスプレイドライバーにリフレッシュする。
【００５４】
図６は、本実施例によるダブルスクリーン切り替え表示モードを有する移動端末の第１表示方式の模式図を示す。
【００５５】
図６において、単一のスクリーン物理的解像度が７２０×１０８０であるディスプレイを例とし、本実施例において、移動端末は第１表示方式で、第１ディスプレイと第２ディスプレイのうちのいずれか１つのものが作動状態にあり、他のものが非作動状態にある。例えば、図６において、該第１表示方式で、第１ディスプレイは作動状態にあり、第２ディスプレイは非作動状態にある。
【００５６】
移動端末は起動し、第１ディスプレイと第２ディスプレイのドライバーローディング及びディスプレイキャッシュ（Framebuffer）のマッピングを完成する。ここで、ディスプレイキャッシュ（Framebuffer）のサイズは第１ディスプレイと第２ディスプレイの物理的解像度の重ね合わせ、即ち１０８０×７２０×２である。移動端末のAndroidシステムのJava層サービスが起動し、ＷＭ命令が起動した後、Androidシステムを採用する移動端末の表示はウィンドウマネージャにより制御されることができ、ユーザの操作及び設定に基づいて表示モードの切り替えを行うことができる。
【００５７】
選択的に、ディスプレイキャッシュ（Framebuffer）は移動端末のメモリにおける１つの領域に対応し、該領域には、画像表示のためのデータが記憶される。
【００５８】
その中、移動端末のディスプレイのスクリーン解像度とは、横・縦方向における画素数を指してもよく、単位がpxであり、１pxが１つの画素を示し、一般的に縦方向の画素×横方向の画素で示す。ディスプレイの画素密度とは、１インチあたりの画素数を指してもよく、単位がdpiである。ディスプレイの画素密度はスクリーンサイズとスクリーン解像度と関係があり、単一の変化条件で、例えば、ディスプレイの画素密度が一定である場合、ディスプレイのサイズが小さいほど、ディスプレイの解像度は高い。ディスプレイのサイズが一定である場合、ディスプレイの画素密度が大きければ大きいほど、ディスプレイの解像度は低い。
【００５９】
移動端末は異なるディスプレイのスクリーン解像度に基づいて、１インチあたりの画素数dpiを計算し、アンドロイドAndroidシステムを例として、Androidの表示システムは設定した解像度に従ってレイアウトを行う。解像度の設定は完成し、異なるアプリケーションにとって、移動端末の表示領域のサイズは変化され、例えば、ビデオ再生中、ビデオの可視領域は変更され（縮小又は拡大）、表示システムは新しい可視領域のサイズに基づいて、出力して描画する必要がある範囲を再び割り当てて表示し、それからレンダリングして、処理を完成する。
【００６０】
第１表示方式、即ちシングルスクリーンモードに対して、ＷＭ命令は表示解像度を１０８０×７２０に設定し、第１ディスプレイと第２ディスプレイのうちの１つのものしか動作しなく、他のディスプレイは低消費電力又はパワーダウンの非作動状態にあり、非作動状態のディスプレイに対応するディスプレイキャッシュ（Framebuffer）はリフレッシュしない。
【００６１】
選択的に、同一のプロセッサによりそれぞれ第１ディスプレイと第２ディスプレイの表示モードを制御することができる。
【００６２】
選択的に、他のディスプレイは低消費電力の非作動状態にあってもよく、低消費電力とは移動端末における幾つかの素子が動作しないことを指してもよい。例えば、低消費電力状態での移動端末はプロセッサしか作動状態になく、他の素子がいずれも待機状態にあり、プロセッサの動作指令を受信する場合、待機状態から正常の作動状態に切り替える。
【００６３】
選択的に、他のディスプレイはパワーダウンの非作動状態にあってもよく、パワーダウンとは移動端末における全部の素子がいずれもオフ状態にあることを指してもよい。
【００６４】
第３実施例
上記第１実施例を基に、図３を参照し、図３は、本実施例による移動端末の切り替え表示方法の第２表示方式のフローチャートであり、図３に示すように、該方法は、下記ステップ３０１〜３０３を含む。
【００６５】
ステップ３０１において、ユーザの選択した表示モードに基づいて、前記第１ディスプレイと第２ディスプレイの表示方式が第２表示方式であることを確定する。
【００６６】
本実施例において、移動端末は第１ディスプレイと第２ディスプレイを備え、前記第１ディスプレイと第２ディスプレイの表示方式は第２表示方式、即ち大画面表示モード、つまり移動端末の第１ディスプレイと第２ディスプレイを組み合わせて１つの出力対象を表示する表示モードである。
【００６７】
ステップ３０２において、前記第２表示方式に基づいて、前記出力対象がそれぞれ、前記第１ディスプレイに表示される第３表示内容、及び前記第２ディスプレイに表示される第４表示内容であることを確定する。
【００６８】
ステップ３０３において、前記第３表示内容を前記第１ディスプレイに表示し、前記第４表示内容を前記第２ディスプレイに表示する。
【００６９】
その中、ステップ３０２を下記ステップ３０２１〜３０２３に分けてもよい。
【００７０】
ステップ３０２１において、前記第１ディスプレイと第２ディスプレイの解像度に基づいて、前記出力対象の解像度を調整し、第３表示内容と第４表示内容を取得する。
【００７１】
ステップ３０２２において、前記第３表示内容と前記第４表示内容をディスプレイキャッシュ（Framebuffer）にパディングする。
【００７２】
ステップ３０２３において、ディスプレイキャッシュ（Framebuffer）における内容を前記第１ディスプレイと前記第２ディスプレイのディスプレイドライバーにリフレッシュする。
【００７３】
図７は、本実施例によるダブルスクリーン切り替え表示モードを有する移動端末の第２表示方式の模式図を示す。
【００７４】
図７において、単一のスクリーン物理的解像度が７２０×１０８０であるディスプレイを例とし、本実施例において、移動端末の第１表示方式は、第１ディスプレイと第２ディスプレイを組み合わせて１つの出力対象を表示する表示モードである。
【００７５】
移動端末は起動し、第１ディスプレイと第２ディスプレイのドライバーローディング及びディスプレイキャッシュ（Framebuffer）のマッピングを完成する。ここで、ディスプレイキャッシュ（Framebuffer）のサイズは２つの物理的解像度の重ね合わせ、即ち１０８０×７２０×２である。
【００７６】
第２表示モード、即ち大画面モードで、移動端末のＷＭ命令は表示解像度を１０８０×７２０×２に設定し、システムは設定した解像度に基づいて第１ディスプレイと第２ディスプレイの表示及びレイアウトを調整し、アプリケーションは新しく設定した解像度に基づいて、適当なインタフェースレイアウトを選択して大画面モードの切り替えを完成する。
【００７７】
第４実施例
上記第１実施例を基に、図４を参照して、図４は、本実施例による移動端末の切り替え表示方法の第３表示方式のフローチャートであり、図４に示すように、該方法は下記ステップ４０１〜４０３を含んでもよい。
【００７８】
ステップ４０１において、ユーザの選択した表示モードに基づいて、前記第１ディスプレイと第２ディスプレイの表示方式が第３表示方式であることを確定する。
【００７９】
移動端末は第１ディスプレイと第２ディスプレイを備え、前記第１ディスプレイと第２ディスプレイの表示方式は第３表示方式、即ちミラー表示モード、つまり移動端末の第１ディスプレイと第２ディスプレイのうちの１つのものが出力対象を表示し、他のディスプレイが前記出力対象の鏡像変換による出力対象を表示する表示モードである。
【００８０】
ステップ４０２において、前記第３表示方式に基づいて、前記出力対象が前記第１ディスプレイに表示される第５表示内容であることを確定し、及び前記出力対象が前記第２ディスプレイに表示される第６表示内容であることを確定し、前記第５表示内容と前記第６表示内容が鏡像関係である。
【００８１】
ステップ４０３において、前記第５表示内容を前記第１ディスプレイに表示し、前記第６表示内容を前記第２ディスプレイに表示する。
【００８２】
その中、ステップ４０２を下記ステップ４０２１〜４０２４に分けてもよい。
【００８３】
ステップ４０２１において、前記第１ディスプレイの解像度に基づいて、前記出力対象の解像度を調整して第５表示内容を取得する。
【００８４】
ステップ４０２２において、第５表示内容に対して鏡像処理を行って第６表示内容を取得し、前記第６表示内容は第２ディスプレイに表示されることに用いられる。
【００８５】
ステップ４０２３において、前記第５表示内容と前記第６表示内容をディスプレイキャッシュ（Framebuffer）にパディングする。
【００８６】
ステップ４０２４において、ディスプレイキャッシュ（Framebuffer）における内容を前記第１ディスプレイと前記第２ディスプレイのディスプレイドライバーにリフレッシュする。
【００８７】
図８に示すように、図８は、本実施例によるダブルスクリーン切り替え表示モードを有する移動端末の第３表示方式の模式図である。
【００８８】
図８において、単一のスクリーン物理解像度が７２０×１０８０であるディスプレイを例とし、本実施例において、移動端末の第３表示方式は、第１ディスプレイと第２ディスプレイのうちの１つのものが出力対象を表示し、他のディスプレイが前記出力対象の鏡像変換による出力対象を表示する表示モードである。
【００８９】
第３表示方式、即ちミラーモードで、移動端末のＷＭ命令は表示解像度を１０８０×７２０に設定し、移動端末の第１ディスプレイと第２ディスプレイのうちの１つのものが出力対象を表示し、他のディスプレイが前記出力対象の鏡像変換による出力対象を表示し、前記表示内容をディスプレイキャッシュ（Framebuffer）にパディングし、ディスプレイキャッシュ（Framebuffer）における内容を前記第１ディスプレイと前記第２ディスプレイのディスプレイドライバーにリフレッシュする。
【００９０】
第５実施例
図５を参照して、図５は、本実施例によるダブルスクリーン切り替え表示モードを有する移動端末の構造模式図であり、図５に示すように、該端末は取得モジュール５０１、処理モジュール５０２及び制御モジュール５０３を備えてもよい。
【００９１】
取得モジュール５０１は、ユーザの選択
した前記移動端末の表示モードを取得するように設定される。
【００９２】
処理モジュール５０２は、前記取得モジュール５０１の取得したユーザの選択した表示モードに基づいて、前記第１ディスプレイ５０４１と第２ディスプレイ５０４２の出力対象表示のための表示方式を確定するように設定される。
【００９３】
制御モジュール５０３は、前記処理モジュール５０２の確定した前記第１ディスプレイ５０４１と第２ディスプレイ５０４２の表示方式に基づいて、前記出力対象を前記第１ディスプレイ５０４１及び／又は第２ディスプレイ５０４２に表示するように設定される。
【００９４】
取得モジュール５０１はユーザの選択した移動端末の表示モードを取得し、前記取得モジュール５０１は３つの操作のためのボタンに設計されてもよい。処理モジュール５０２は、取得モジュール５０１の取得したユーザの選択した表示モードに基づいて、前記第１ディスプレイ５０４１と第２ディスプレイ５０４２の出力対象表示のための表示方式を確定する。制御モジュール５０３は、前記処理モジュール５０２の確定した前記第１ディスプレイ５０４１と第２ディスプレイ５０４２の表示方式に基づいて、前記出力対象を前記第１ディスプレイ５０４１及び／又は第２ディスプレイ５０４２に表示する。
【００９５】
選択的に、前記制御モジュール５０２は、第１制御ユニット、第２制御ユニット及び第３制御ユニットを備えてもよい。
【００９６】
第１制御ユニットは、ユーザの選択した表示モードに基づいて、前記第１ディスプレイと第２ディスプレイの表示方式が第１表示方式であることを確定するように設定される。
【００９７】
第２制御ユニットは、前記第１表示方式に基づいて、前記処理モジュールが、前記出力対象が前記第１ディスプレイに表示される第１表示内容であることを確定し、又は前記出力対象が第２ディスプレイに表示される第２表示内容であることを確定するように設定される。
【００９８】
第３制御ユニットは、前記第１表示内容を前記第１ディスプレイに表示し、前記第２ディスプレイを非作動状態にあるように制御し、又は前記第２表示内容を前記第２ディスプレイに表示し、前記第１ディスプレイを非作動状態にあるように制御するように設定される。
【００９９】
選択的に、前記第２制御ユニットは、第１出力サブユニット、第１パディングサブユニット及び第１キャッシュサブユニットを備えてもよい。
【０１００】
第１出力サブユニットは、前記第１ディスプレイのスクリーン解像度に基づいて前記出力対象の解像度を調整して第１表示内容を取得し、又は前記第２ディスプレイのスクリーン解像度に基づいて前記出力対象の解像度を調整して第２表示内容を取得するように設定される。
【０１０１】
第１パディングサブユニットは、前記第１表示内容又は前記第２表示内容をディスプレイキャッシュ（Framebuffer）にパディングするように設定される。
【０１０２】
第１キャッシュサブユニットは、ディスプレイキャッシュ（Framebuffer）における内容を前記第１ディスプレイ又は前記第２ディスプレイのディスプレイドライバーにリフレッシュするように設定される。
【０１０３】
選択的に、前記制御モジュールは、第４制御ユニット、第５制御ユニット及び第６制御ユニットを備えてもよい。
【０１０４】
第４制御ユニットは、ユーザの選択した表示モードに基づいて、前記第１ディスプレイと第２ディスプレイの表示方式が第２表示方式であることを確定するように設定される。
【０１０５】
第５制御ユニットは、前記第２表示方式に基づいて、前記出力対象の一部が前記第１ディスプレイに表示される第３表示内容であり、及び前記出力対象の他の一部が前記第２ディスプレイに表示される第４表示内容であることを確定するように設定される。
【０１０６】
第６制御ユニットは、前記第３表示内容を前記第１ディスプレイに表示し、前記第４表示内容を前記第２ディスプレイに表示するように設定される。
【０１０７】
選択的に、前記第２制御ユニットは、第２出力サブユニット、第２パディングサブユニット及び第２キャッシュサブユニットを備える。
【０１０８】
第２出力サブユニットは、前記第１ディスプレイと第２ディスプレイの解像度に基づいて、前記出力対象の解像度を調整し、第３表示内容と第４表示内容を取得するように設定される。
【０１０９】
第２パディングサブユニットは、前記第３表示内容と前記第４表示内容をディスプレイキャッシュ（Framebuffer）にパディングするように設定される。
【０１１０】
第２キャッシュサブユニットは、ディスプレイキャッシュ（Framebuffer）における内容を前記第１ディスプレイと前記第２ディスプレイのディスプレイドライバーにリフレッシュするように設定される。
【０１１１】
選択的に、前記制御モジュールは、第７制御ユニット、第８制御ユニット及び第９制御ユニットを備える。
【０１１２】
第７制御ユニットは、ユーザの選択した表示モードに基づいて、前記第１ディスプレイと第２ディスプレイの表示方式が第３表示方式であることを確定するように設定される。
【０１１３】
第８制御ユニットは、前記第３表示方式に基づいて、前記出力対象が前記第１ディスプレイに表示される第５表示内容であることを確定し、及び前記出力対象が前記第２ディスプレイに表示される第６表示内容であることを確定するように設定され、前記第５表示内容と前記第６表示内容が鏡像関係である。
【０１１４】
第９制御ユニットは、前記第５表示内容を前記第１ディスプレイに表示し、前記第６表示内容を前記第２ディスプレイに表示するように設定される。
【０１１５】
選択的に、前記第２制御ユニットは、第３出力サブユニット、変換サブユニット、第３パディングサブユニット及び第３キャッシュサブユニットを備える。
【０１１６】
第３出力サブユニットは、前記第１ディスプレイの解像度に基づいて、前記出力対象の解像度を調整して第５表示内容を取得するように設定される。
【０１１７】
変換サブユニットは、第５表示内容に対して鏡像処理を行って第６表示内容を取得するように設定され、前記第６表示内容は第２ディスプレイに表示されることに用いられる。
【０１１８】
第３パディングサブユニットは、前記第５表示内容と前記第６表示内容をディスプレイキャッシュ（Framebuffer）にパディングするように設定される。
【０１１９】
第３キャッシュサブユニットは、ディスプレイキャッシュ（Framebuffer）における内容を前記第１ディスプレイと前記第２ディスプレイのディスプレイドライバーにリフレッシュするように設定される。
【０１２０】
第６実施例
本実施例は、コンピュータ読み取り可能な記憶媒体を更に提供し、コンピュータ実行可能な指令が記憶され、前記コンピュータ実行可能な指令は上記方法の実行に用いられる。
【０１２１】
第７実施例
図９を参照して、図９は、本実施例による電子装置の汎用ハードウェア構造の模式図であり、図９に示すように、該電子装置は、１つ又は複数のプロセッサ６１０及びメモリ６２０を備える。図９では１つのプロセッサ６１０を例とする。
【０１２２】
前記電子装置は、入力装置６３０及び出力装置６４０を更に備えてもよい。
【０１２３】
前記電子装置におけるプロセッサ６１０、メモリ６２０、入力装置６３０及び出力装置６４０は、バス又は他の方式で接続されてもよく、図９ではバスによる接続を例とする。
【０１２４】
入力装置６３０は、入力した数字又は文字情報を受信することができ、出力装置６４０は、ディスプレイ等の表示装置を含んでもよい。
【０１２５】
メモリ６２０は、コンピュータ読み取り可能な記憶媒体として、ソフトウェアプログラム、コンピュータ実行可能なプログラム及びモジュールの記憶に用いられることができる。プロセッサ６１０は、メモリ６２０に記憶されるソフトウェアプログラム、指令及びモジュールを実行することにより、多種の機能アプリケーション及びデータ処理を実行して、上記実施例におけるいずれか１つの方法を実現する。
【０１２６】
メモリ６２０は、プログラム記憶エリア及びデータ記憶エリアを含んでもよく、プログラム記憶エリアは、オペレーティングシステム、少なくとも１つの機能に必要なアプリケーションプログラムを記憶することができ、データ記憶エリアは、電子装置の使用に基づいて作成したデータ等を記憶することができる。また、メモリは、ランダムアクセスメモリ（Random Access Memory、ＲＡＭ）等の揮発性メモリを含んでもよく、不揮発性メモリ、例えば少なくとも１つのディスク記憶装置、フラッシュメモリ又は他の非トランジェントソリッドステートメモリを含んでもよい。
【０１２７】
メモリ６２０は、非トランジェントコンピュータ記憶媒体又はトランジェントコンピュータ記憶媒体であってもよい。該非トランジェントコンピュータ記憶媒体は、例えば少なくとも１つのディスク記憶装置、フラッシュメモリ又は他の不揮発性ソリッドステートメモリである。幾つかの実施例において、メモリ６２０は選択的に、プロセッサ６１０に対して遠隔的に設けられるメモリを含み、これらの遠隔メモリはネットワークを介して電子装置に接続されることができる。上記ネットワークの実例として、インターネット、イントラネット、ローカルエリアネットワーク、移動通信ネットワーク及びそれらの組合せを含んでもよい。
【０１２８】
入力装置６３０は、入力した数字又は文字情報の受信、及び電子装置のユーザ設定と機能制御に関連するキー信号入力の生成に用いられることができる。出力装置４４０は、ディスプレイ等の表示装置を含んでもよい。
【０１２９】
なお、当業者が理解できるように、上記実施例における全部又は一部のフローはコンピュータプログラムが関連のハードウェアを実行することにより完成することができ、該プログラムは１つの非トランジェントコンピュータ読み取り可能な記憶媒体に記憶されてもよく、該プログラムは実行される場合、上記方法の実施例のようなフローを含んでもよく、該コンピュータ読み取り可能な記憶媒体はディスク、光ディスク、リードオンリーメモリ（ＲＯＭ）又はランダムアクセスメモリ（ＲＡＭ）等であってもよい。
【産業上の利用可能性】
【０１３０】
本出願は、端末の切り替え表示方法及び端末を提供し、端末ダブルスクリーン表示の表示切り替えを実現することができ、端末の第１ディスプレイと第２ディスプレイの多種の表示モードでの表示協力及び表示方式の問題を解決する。
【図１】
2019509525.tif 000003
【図２】
2019509525.tif 000004
【図３】
2019509525.tif 000005
【図４】
2019509525.tif 000006
【図５】
2019509525.tif 000007
【図６】
2019509525.tif 000008
【図７】
2019509525.tif 000009
【図８】
2019509525.tif 000010
【図９】
2019509525.tif 000011
【手続補正書】
【提出日】平成29年11月22日(2017.11.22)
【手続補正１】
【補正対象書類名】明細書
【補正対象項目名】００１５
【補正方法】変更
【補正の内容】
【００１５】
選択的に、前記第２制御ユニットは、第１出力サブユニット、第１パディングサブユニット及び第１キャッシュサブユニットを備えてもよい。
第１出力サブユニットは、前記第１ディスプレイのスクリーン解像度に基づいて前記出力対象の解像度を調整して第１表示内容を取得し、又は前記第２ディスプレイのスクリーン解像度に基づいて前記出力対象の解像度を調整して第２表示内容を取得するように設定される。
第１パディングサブユニットは、前記第１表示内容又は前記第２表示内容をディスプレイキャッシュFramebufferにパディングするように設定される。
第１キャッシュサブユニットは、ディスプレイキャッシュFramebufferにおける内容を前記第１ディスプレイ又は前記第２ディスプレイのディスプレイドライバーにリフレッシュするように設定される。
【手続補正２】
【補正対象書類名】明細書
【補正対象項目名】００１７
【補正方法】変更
【補正の内容】
【００１７】
選択的に、前記第５制御ユニットは、第２出力サブユニット、第２パディングサブユニット及び第２キャッシュサブユニットを備えてもよい。
第２出力サブユニットは、前記第１ディスプレイと第２ディスプレイのスクリーン解像度に基づいて、それぞれ前記出力対象の第１部分と第２部分の解像度を調整し、第３表示内容と第４表示内容を取得するように設定される。
第２パディングサブユニットは、前記第３表示内容と前記第４表示内容をディスプレイキャッシュFramebufferにパディングするように設定される。
第２キャッシュサブユニットは、ディスプレイキャッシュFramebufferにおける内容を前記第１ディスプレイと前記第２ディスプレイのディスプレイドライバーにリフレッシュするように設定される。
【手続補正３】
【補正対象書類名】明細書
【補正対象項目名】００１９
【補正方法】変更
【補正の内容】
【００１９】
選択的に、前記第８制御ユニットは、第３出力サブユニット、変換サブユニット、第３パディングサブユニット及び第３キャッシュサブユニットを備える。
第３出力サブユニットは、前記第１ディスプレイのスクリーン解像度に基づいて、前記出力対象の解像度を調整して第５表示内容を取得するように設定される。
変換サブユニットは、第５表示内容に対して鏡像処理を行って第６表示内容を取得するように設定され、前記第６表示内容が第２ディスプレイに表示される。
第３パディングサブユニットは、前記第５表示内容と前記第６表示内容をディスプレイキャッシュFramebufferにパディングするように設定される。
第３キャッシュサブユニットは、ディスプレイキャッシュFramebufferにおける内容を前記第１ディスプレイと前記第２ディスプレイのディスプレイドライバーにリフレッシュするように設定される。
【手続補正４】
【補正対象書類名】明細書
【補正対象項目名】０１０７
【補正方法】変更
【補正の内容】
【０１０７】
選択的に、前記第５制御ユニットは、第２出力サブユニット、第２パディングサブユニット及び第２キャッシュサブユニットを備える。
【手続補正５】
【補正対象書類名】明細書
【補正対象項目名】０１１５
【補正方法】変更
【補正の内容】
【０１１５】
選択的に、前記第８制御ユニットは、第３出力サブユニット、変換サブユニット、第３パディングサブユニット及び第３キャッシュサブユニットを備える。
【手続補正６】
【補正対象書類名】明細書
【補正対象項目名】０１２８
【補正方法】変更
【補正の内容】
【０１２８】
入力装置６３０は、入力した数字又は文字情報の受信、及び電子装置のユーザ設定と機能制御に関連するキー信号入力の生成に用いられることができる。出力装置６４０は、ディスプレイ等の表示装置を含んでもよい。
【国際調査報告】
2019509525.tif 000012
2019509525.tif 000013
2019509525.tif 000014
2019509525.tif 000015